(57)【要約】【課題】携帯電話機本体と、表示操作部が脱着可能に構成された携帯電話機において、携帯電話機本体の盗難や置き忘れなどが発生した際の第三者による不正使用を防止することができる携帯電話機を提供すること。【解決手段】携帯電話機本体１００と表示操作部２００との間で無線通信が行えない場合に、任意の設定時間経過後、無線通信が可能となるまで、携帯電話機本体１００を入力操作禁止状態とする。また、携帯電話機本体１００が入力操作禁止状態の場合に、携帯電話機本体１００と表示操作部２００との間で無線通信が行えるようになったとき、携帯電話機本体１００および表示操作部２００はアラーム鳴動や所定の画像形式の画像を点滅させることで、携帯電話機本体１００と表示操作部２００が近くにあることを使用者に通知する。【選択図】  図１
2004172728.tif 000002
【特許請求の範囲】
【請求項１】
第１の操作手段及び音声入出力手段を備える携帯電話機本体と、第２の操作手段及び表示手段を備える表示操作部とから成り、前記携帯電話機本体と前記表示操作部とは互いに無線通信を行う無線通信部をそれぞれ備え、当該無線通信により互いのデータ送受信を行うように構成された携帯電話機であって、
前記携帯電話機本体と前記表示操作部との間で無線通信が行えない場合、前記携帯電話機本体を入力操作禁止状態とする制御手段を備えることを特徴とする携帯電話機。
【請求項２】
前記制御手段は、前記入力操作禁止状態において、前記携帯電話機本体と前記表示操作部との間で無線通信が行えるようになった場合、前記入力操作禁止状態を解除可能にすることを特徴とする請求項１記載の携帯電話機。
【請求項３】
前記制御手段は、前記入力操作禁止状態において、前記無線通信部によって前記携帯電話機本体と前記表示操作部との間で無線通信が行えるようになったとき、前記携帯電話機本体または前記表示操作部により音、光、画像表示、もしくは振動の少なくともいずれかの報知をさせることを特徴とする請求項１記載の携帯電話機。
【発明の詳細な説明】
【０００１】
【発明の属する技術分野】
本発明は、操作部が携帯電話機本体から脱着可能な携帯電話機に関する。
【０００２】
【従来の技術】
近年、携帯電話機の利便性向上の点から、携帯電話機本体と表示操作部が脱着可能な構成となっているものが増えてきている。
通信相手の電話番号などの情報を入力する入力部を有する操作部が携帯電話機本体から着脱可能なことにより、当該電話機の使用者が受話部、送話部を耳、口から離さずに、通話中に入力部にメモなどのデータを入力することができる携帯電話機がある（例えば、特許文献１参照）。
【０００３】
【特許文献１】
特開平９−３２１８４８号公報
【０００４】
【発明が解決しようとする課題】
しかしながら、この種の携帯電話機では、携帯電話機本体と表示操作部が脱着可能であるため、どちらかの紛失や盗難の危険性があった。また、携帯電話機本体と操作部が分離しているとき、操作部から携帯電話機本体の通話以外の操作ができるため本体の存在を忘れがちになり、さらに紛失や盗難に遭う可能性が多分に生じる。
そこで、本発明は、上記事情に鑑みてなされたもので、紛失、盗難または置き忘れなどが発生した場合に、悪戯や不正使用を防止することができる携帯電話機を提供することである。
【０００５】
【課題を解決するための手段】
請求項１記載の発明では、第１の操作手段及び音声入出力手段を備える携帯電話機本体と、第２の操作手段及び表示手段を備える表示操作部とから成り、前記携帯電話機本体と前記表示操作部とは互いに無線通信を行う無線通信部をそれぞれ備え、当該無線通信により互いのデータ送受信を行うように構成された携帯電話機であって、前記携帯電話機本体と前記表示操作部との間で無線通信が行えない場合、前記携帯電話機本体を入力操作禁止状態とする制御手段を備えることを特徴とする。
【０００６】
請求項２記載の発明では、請求項１記載の携帯電話機において、前記制御手段は、前記入力操作禁止状態において、前記携帯電話機本体と前記表示操作部との間で無線通信が行えるようになった場合、前記入力操作禁止状態を解除可能にすることを特徴とする。
【０００７】
請求項３記載の発明では、請求項１記載の携帯電話機において、前記制御手段は、前記入力操作禁止状態において、前記無線通信部によって前記携帯電話機本体と前記表示操作部との間で無線通信が行えるようになったとき、前記携帯電話機本体または前記表示操作部により音、光、画像表示、もしくは振動の少なくともいずれかの報知をさせることを特徴とする。
【０００８】
【発明の実施の形態】
以下、本発明の好適な実施形態について図１ないし図４を参照して詳細に説明する。
図１は、本実施の形態に係る携帯電話機の概略構成を示したブロック図である。携帯電話機は、携帯電話機本体１００と、携帯電話機本体１００から分離可能に構成された表示操作部２００とから構成される。
携帯電話機本体１００は、アンテナ１０５を介して、基地局との間で無線信号を送受信する無線部（無線通信部）１０１と、ＣＰＵ１０４に制御され、無線部１０１で受信した受信信号をスピーカ１０６に出力し、マイク１０７からの送信信号を無線部１０１に送出する制御部１０２とを備える。
【０００９】
また、制御部１０２には、タイマーが備えられており、電波強度メッセージと親認識番号を表示操作部２００へ送信すると同時に、このタイマ−を起動する。また、制御部１０２は、表示操作部２００から正常受信メッセージと子認識番号を受信すると、タイマーを停止する。
また、制御部１０２は、禁止手段として機能し、無線通信部によって携帯電話機本体１００と表示操作部２００との間で無線通信が行えない場合に、所定の時間経過後、無線通信が可能となるまで、携帯電話機本体１００を入力操作禁止状態とする。
【００１０】
また、携帯電話機本体１００は、通話キー、終話キー、通信相手の電話番号などを入力する入力部１１１と、短縮番号などのデータを記憶するメモリ１０３とを備えている。
さらに携帯電話機本体１００は、表示操作部２００とデータを送受する送受信部１０８と、携帯電話機本体１００を動作させる電池１０９と、操作部２００と携帯電話機本体１００とを電気的に接続する接続端子１１０とを備えている。
【００１１】
表示操作部２００は、通話キー、終話キー、アルファベット（ＱＷＥＲＴＹ）キーなどを有する入力部２０１と、入力したデータや携帯電話機本体１００から受信したデータを表示する表示部２０２と、電話番号やメールアドレス、スケジュールなどを記憶するメモリ２０３と、メモリ２０３および送受信部２０５を制御するＣＰＵ２０４とを備えている。
また、表示操作部２００は、携帯電話機本体１００とデータを送受する送受信部２０５と、表示操作部２００を動作させる電池２０６と、操作部２００の電源をオン／オフする電源スイッチ２０７と、アラームを鳴動させるためのスピーカ２０９と、携帯電話機本体１００と電気的に接続する接続端子２０８とを備えている。
【００１２】
次に、本実施の形態の携帯電話機の動作について説明する。
携帯電話機本体１００と表示操作部２００が一体となっている場合に、携帯電話機本体１００の電源オンまたは電源オフは、表示操作部２００に設けられた電源スイッチ２０７を操作することによりオン／オフできるようになっている。なお、携帯電話機本体１００の送受信部１０８だけは、電源スイッチ２０７のオン／オフに関わらず電源が供給され続ける。
携帯電話機本体１００と表示操作部２００が分離している場合に、表示操作部２００の電源オンまたは電源オフは、表示操作部２００に設けられた電源スイッチ２０７を操作することによりオン／オフできるようになっている。
【００１３】
同様に、携帯電話機本体１００と表示操作部２００が分離している場合に、携帯電話機本体１００と表示操作部２００の電源オンまたは電源オフは、表示操作部２００に設けられた電源スイッチ２０７を操作することによりオン／オフできるようになっている。なお、携帯電話機本体１００の送受信部１０８だけは、電源スイッチ２７のオン／オフに関わらず電源が供給され続ける。また、携帯電話機本体１００だけでは電源オンまたは電源オフをすることができないようになっている。
【００１４】
携帯電話機本体１００の接続端子１１０と、表示操作部２００の接続端子２０８とが接触することにより、携帯電話機本体１００と表示操作部２００は接続され、互いにデータのやり取りができるようになる。
携帯電話機本体部１００の送受信部１０８と、操作部２００の送受信部２０５とがブルートゥースによる信号を送受信することにより、携帯電話機本体１００と操作部２００との間でデータがやりとりされる。なお、送受信部１０８、２０５ともに、近距離無線通信のブルートゥース・モジュールで構成されるものとする。
【００１５】
携帯電話機から発呼するときは、携帯電話機の使用者は、携帯電話機本体１００の入力部１１１からの操作により相手先電話番号を入力、または、表示操作部２００に含まれるアルファベットキーあるいは短縮キーなどの操作により、相手先の電話帳などを表示させ、続いて携帯電話機本体１００または表示操作部２００の通話キーを押し下げる。
表示操作部２００の通話キーの操作により、表示操作部２００の送受信部２０５から携帯電話機本体１００の送受信部１０８へ発呼信号と相手先の電話番号が送信される。これにより、携帯電話機本体１００は発呼状態となり、基地局との間で無線による電話回線を設定し、他の電話機との通話が可能となる。
同様に、携帯電話機本体１００の通話キーの操作により、携帯電話機本体１００の送受信部１０８へ発呼信号と相手先の電話番号が送信される。これにより、携帯電話機本体１００は発呼状態となり、基地局との間で無線による電話回線を設定し、他の電話機との通話が可能となる。
【００１６】
一方、携帯電話機に着呼があったとき、携帯電話機の使用者が表示操作部２００に含まれる通話キーを押し下げることにより、表示操作部２００の送受信部２０５から携帯電話機本体１００の送受信部１０８へ着呼応答信号が送信される。これにより、携帯電話機本体１００は基地局からの着呼信号に対し応答し、基地局との間で無線による電話回線を設定し、他の電話機との通話が可能になる。
同様に、携帯電話機に着呼があったときは、携帯電話機の使用者が携帯電話機本体１００に含まれる通話キーを押し下げることにより、携帯電話機本体１００の送受信部１０８へ着呼応答信号が送信される。これにより、携帯電話機本体１００は基地局からの着呼信号に対し応答し、基地局との間で無線による電話回線を設定し、他の電話機との通話が可能になる。
【００１７】
携帯電話機による通話を終了するときは、携帯電話機の使用者が、表示操作部２００に含まれる終話キーを押し下げることにより、操作部２００の送受信部２０５から携帯電話機本体１００の送受信部１０８へ終話信号が送信される。これにより、携帯電話機本体１００は基地局との間での無線電話回線を切断する終話処理を行う。
同様に、携帯電話機による通話を終了するときは、携帯電話機の使用者が、携帯電話機本体１００に含まれる終話キーを押し下げることにより、携帯電話機本体１００の送受信部１０８へ終話信号が送信される。これにより、携帯電話機本体１００は基地局との間での無線電話回線を切断する終話処理を行う。
【００１８】
図２は、携帯電話機の外観を示した図である。携帯電話機本体１００には、上部にスピーカ１０６が下部にマイク１０７が配置されている。
スピーカ１０６とマイク１０７との間には、着脱可能に構成された表示操作部２００が配置されている。この表示操作部２００には、その表面に入力部２０１と表示部２０２とが配置されている。
入力部２０１は、通話キー、終話キー、アルファベット（ＱＷＥＲＴＹ）キーなどの携帯電話機や電話帳などを操作するために使用者が操作するキーで構成され、表示部２０２には入力部２０１から入力したデータや携帯電話機本体１００から受信したデータを表示する液晶表示器などの表示器で構成されている。
【００１９】
表示操作部２００は、その表面に送受信部２０５を有している。この送受信部２０５は、携帯電話機本体１００の送受信部１０８とデータの送受信を行う。送受信部２０５は、ブルートゥースによるデータを送受信するためのブルートゥース・モジュールにより構成されている。
また、表示操作部２００は、その表面かつ携帯電話機本体１００の接続端子１１０と対向する位置に、接続端子２０８を有している。
【００２０】
携帯電話機本体１００は、その表面に入力部（テンキーパッド）１１１、送受信部１０８と、接続端子１１０を有している。
送受信部１０８は、操作部２００の送受信部２０５とデータの送受信を行い、ブルートゥースによるデータを送受信するためのブルートゥース・モジュー．ルにより構成されている。
携帯電話機による通話中に、携帯電話機の使用者が何らかのメモを取る必要が生じたときは、表示操作部２００のアルファベット（ＱＷＥＲＴＹ）キーなどのキーを操作することにより、キー操作の内容がＣＰＵ２０４によりメモリ２０３に記憶される。
接続端子１１０は、表示操作部２００が携帯電話機本体１００と一体となっているとき、相互のデータのやりとりをする接続端子１１０と、接続端子２０８を介して携帯電話機本体１００から表示操作部２００への電源を供給し充電することもできる。
【００２１】
次に、図３および図４を参照しながら、携帯電話機本体１００と表示操作部２００とのメッセージのやり取りについて説明する。図３は、表示操作部２００の表示部２０２の表示例を示した図である。図４は、携帯電話機本体１００と表示操作部２００とのメッセージのやり取りの流れを示した図である。
携帯電話機本体１００は、電波強度を無線部１０１から得ると、アンテナピクト（図３参照）を表示するための電波強度メッセージを親認識番号とともに表示操作部２００に対して送信する（ステップＳ４０１）。このメッセージは、定期的に送信されるようになっている。
表示操作部２００は、携帯電話機本体１００からの電波強度メッセージを受信すると、携帯電話機本体１００に対して送信されてきたメッセージを正常に受信したことを、正常受信メッセージに子認識番号とともに返信し、アンテナピクトを更新、表示する（ステップＳ４０２）。
【００２２】
また、携帯電話機本体１００は、電波強度メッセージおよび親認識番号を表示操作部２００に対して送信後（ステップＳ４１１）、正常受信メッセージが表示操作部２００から返信されない場合、制御部１０２内のタイマーを起動し、時間が満了とともに入力部１１１を入力禁止にする。
制御部１０２が入力禁止にするまでの時間は、表示操作部２００で設定し、携帯電話機本体１００のメモリ１０３にあらかじめ記憶しておくことができるものとする。
【００２３】
携帯電話機本体１００の制御部１０２は、表示操作部２００からの正常受信メッセージがないまま任意に設定した時間が経過し、入力部１１１が入力禁止になっている場合、表示操作部２００からの入力許可メッセージを受信するまで入力禁止状態を保持する。
携帯電話機本体１００の入力部１１１が入力禁止状態にあるとき、携帯電話機本体１００は定期的に電波強度メッセージと探索メッセージを親認識番号とともに表示操作部２００に対して送信する（ステップＳ４１２）。
【００２４】
また、表示操作部２００は、携帯電話機本体１００から電波強度メッセージと探索メッセージを親認識番号とともに受信すると（ステップＳ４２１）、正常受信メッセージと発見メッセージを子認識番号とともに返信し、発見アラームを鳴動させピクト（図３参照）を点滅させる（ステップＳ４２２）。
携帯電話機本体１００は、表示操作部２００から正常受信メッセージと発見メッセージを子認識番号とともに受信すると、タイマーを停止し、発見アラームを鳴動させる。この発見アラームの鳴動やピクト点滅により、携帯電話機本体１００と表示操作部２００部が近くにあることを使用者に通知することができる。
なお、図３では表示操作部２００の表示部２０２に表示される画像形式を一例として、ピクトとしており、このピクトを点滅するものとして説明したが、これに限られるものではなく、所定の画像形式で表示された画像を点滅させることができる。その他、報知のさせ方は、ＬＥＤ等の発光手段による点滅、もしくは振動手段による振動であってもよい。
【００２５】
このとき携帯電話機の使用者は、表示操作部２００の操作により、携帯電話機本体１００に入力許可メッセージを子認識番号とともに送信する（ステップＳ４２３）。携帯電話機本体１００は、表示操作部２００から入力許可メッセージを子認識番号とともに受信すると、入力禁止状態を解除することができ、発見アラームの鳴動を止め、正常受信メッセージを親認識番号とともに表示操作部２００に対して送信する（ステップＳ４２４）。
表示操作部２００は、携帯電話機本体１００から正常受信メッセージを親認識番号とともに受信すると、発見アラームの鳴動を止める。
【００２６】
このように、表示操作部２００と携帯電話機本体１００とは互いに無線通信が可能な構成とすることにより、携帯電話機本体１００と表示操作部２００が無線通信不可能な距離であった場合に、任意に設定した時間が経過したとき、携帯電話機本体１００は当該本体からの入力操作を禁止するようになっている。また、携帯電話機本体１００は、表示操作部２００から入力許可メッセージを受信するまで、入力禁止状態を保持する。これにより、盗難時や置き忘れた際に、第三者による悪戯や不正使用を防止することができる。
【００２７】
また、携帯電話機本体１００の操作部が入力禁止状態にあるとき、携帯電話機本体１００と表示操作部１００が無線通信可能距離に接近すると、電話機本体１００および表示操作部２００はお互いにアラーム鳴動、表示操作部２００のピクト点滅を行うようになっている。これにより、使用者に携帯電話機本体１００と表示操作部２００が近くにあることを通知することができる。
【００２８】
【発明の効果】
以上説明したように、本発明による携帯電話機は、携帯電話機本体と表示操作部が無線通信不可能な場合に、表示操作部からの入力許可メッセージを受信するまで携帯電話機本体の操作部を入力禁止状態とするので、盗難時や置き忘れの際に、第三者による不正使用を防止することができる。また、携帯電話機本体の入力部が入力禁止状態にあるとき、携帯電話機本体と表示操作部が無線通信可能距離に接近すると、携帯電話機本体および表示操作部はお互いにアラーム鳴動や表示操作部の点滅等を行うので、携帯電話機本体と表示操作部が近くにあることを使用者に通知することができ、発見を容易にする。
【図面の簡単な説明】
【図１】本実施の形態に係る携帯電話機の概略構成を示したブロック図である。
【図２】携帯電話機の外観を示した図である。
【図３】携帯電話機の表示操作部の表示例を示した図である。
【図４】携帯電話機本体と表示操作部とのメッセージのやり取りの流れを示した図である。
【符号の説明】
１００    携帯電話機本体
１０１    無線部
１０２    制御部
１０３、２０３    メモリ
１０４、２０４    ＣＰＵ
１０５    アンテナ
１０６、２０９    スピーカ
１０７    マイク
１０８、２０５    送受信部
１０９、２０６    電池
１１０、２０８    接続端子
１１１、２０１    入力部
２００    操作部
２０２    表示部
２０７    電源スイッチ
【図１】
2004172728.tif 000003
【図２】
2004172728.tif 000004
【図３】
2004172728.tif 000005
【図４】
2004172728.tif 000006